(57)【要約】　【課題】　安全かつ快適な輻射暖房装置にを提供する。　【解決手段】　熱源部２２と、熱源部２２によって加熱され輻射熱を発生する輻射体２１と、前記輻射体２１の輻射面を照射する光源２３とを備えた構成にしてあるので、装置の運転時に加熱された輻射体２１を照射することによって、輻射体が加熱された状態にあることを表示し、視覚的な暖房感を得ることができるとともに触手等により不安全行為を防止することができる。【選択図】　図１
2004037075.tif 000002
【特許請求の範囲】
【請求項１】
熱源部と、熱源部によって加熱され輻射熱を発生する輻射体と、前記輻射体の輻射面を照射する光源とを備え、前記光源は輻射面の左右の少なくとも１側面に配置した輻射暖房装置。
【請求項２】
光源をＬＥＤとした請求項１に記載の輻射暖房装置。
【請求項３】
光源の輻射面に対応する側の反対側に反射具を設けた請求項１または２項に記載の輻射暖房装置。
【請求項４】
光源の光量を一定周期で変化させる制御部を備えた請求項１ないし３のいずれか１項に記載の輻射暖房装置。
【請求項５】
光源を一定周期で点滅させる制御部を備えた請求項１ないし３のいずれか１項に記載の輻射暖房装置。
【請求項６】
光源から発生する光に着色した請求項１ないし５のいずれか１項に記載の輻射暖房装置。
【請求項７】
光色の異なる複数の光源を備え、輻射熱発生時と停止時に光源を切替えることによって照射する色を変える制御部を備えた請求項６に記載の輻射暖房装置。
【請求項８】
光源の光量を輻射量の発生量に応じて変化させる制御部を備えた請求項１ないし７のいずれか１項に記載の輻射暖房装置。
【請求項９】
熱源部を、ガス、石油等の燃料を燃焼する燃焼部とした請求項１ないし８項のいずれか１項に記載の輻射暖房装置。
【請求項１０】
輻射面に光触媒を含有した材料を塗布した請求項１ないし９のいずれか１項に記載の輻射暖房装置。
【発明の詳細な説明】
【技術分野】
【０００１】
　本発明は、輻射熱を用いた輻射暖房装置に関するものである。
【背景技術】
【０００２】
　従来のこの種の暖房装置は、図３に示すように本体下部に設けられたバーナ１と、前記バーナ１からの燃焼ガスを通過させる中空の薄型箱状熱交換器２と、この熱交換器２の両側に形成された縦長の開口３と、前記熱交換器２の少なくとも前面に塗装された遠赤外線塗料４と、前記熱交換器２に送風して熱交換し温風として本体吐出口より吐出させる対流ファン５からなり、上記熱交換器２は内部を中空にして上記バーナ１からの燃焼ガス６が通過するように通路７を設け、熱交換器２の各部に上記燃焼ガス６が行き渡るように通路７の一部に凹形のビード８を設けて開口３から排出する構成となっていた。
【０００３】
　そしてバーナ１で発生した燃焼ガス６を熱交換器２を通過させて３００℃〜５００℃に加熱することにより遠赤外線塗料４で塗装された熱交換器２の前面より遠赤外線を輻射し輻射暖房を行う、また同時に対流ファン５によって取り入れられた空気熱交換器２の背面に沿って流れ、熱交換器２の開口３から排出された燃焼ガスと混合し温風となって器具より排出し温風暖房として供されていた（例えば特許文献１参照）。
【特許文献１】実公昭６３−１１５４８号公報
【発明の開示】
【発明が解決しようとする課題】
【０００４】
　しかしながら上記従来の暖房装置では、輻射熱を発生する輻射面の温度が３００〜５００℃と遠赤外線発生領域であることから視覚的な暖房感が少なかったり、視覚的に危険感がないため、誤って手を触れたりして火傷をする可能性があるという課題があった。
【課題を解決するための手段】
【０００５】
　本発明は上記課題を解決するため、熱源部と、熱源部によって加熱され輻射熱を発生する輻射体と、前記輻射体の輻射面を照射する光源とを備え、前記光源を輻射面の上下左右の少なくとも１側面に配置した構成にしたものである。
【０００６】
　上記発明によれば、運転時に、加熱された輻射面を光源によって照射することにより、輻射面が加熱状態にあることを表示し視覚的な暖房感を得ることができるとともに触手等により不安全行為を防止することができる。
【発明の効果】
【０００７】
　以上説明したように本発明の輻射暖房装置は熱源部と、熱源部によって加熱され輻射熱を発生する輻射体と、前記輻射体の輻射面を照射する光源とを備え、前記光源は輻射面の左右の少なくとも１側面に配置した構成にしてあるので、装置の運転時に加熱された輻射体を照射することによって、輻射体が加熱された状態にあることを表示し、視覚的な暖房感を得ることができるとともに触手等により不安全行為を防止することができる。
【発明を実施するための最良の形態】
【０００８】
　本発明の請求項１にかかる輻射暖房装置は、熱源部と、熱源部によって加熱され輻射熱を発生する輻射体と、前記輻射体の輻射面を照射する光源とを備え、光源を輻射面の上下左右の少なくとも１側面に配置した構成にしてある。
【０００９】
　そして、装置の運転時に加熱された輻射体を照射することによって、輻射体が加熱された状態にあることを表示し、視覚的な暖房感を得ることができるとともに触手等により不安全行為を防止することができる。
【００１０】
　そして、光源を輻射面の側面に配設することにより、光源が輻射面から発生する輻射熱を遮ることなく、輻射面を照射できるために、発生した輻射熱を有効に暖房に使用することができる。
【００１１】
　本発明の請求項２にかかる輻射暖房装置は、光源にＬＥＤを用いた構成にした。
【００１２】
　そして、ＬＥＤは寿命時間が長く、暖房装置のごとく使用時間が長い場合に故障の頻度を少なくすることができる。
【００１３】
　本発明の請求項３にかかる輻射暖房装置は光源の輻射面対応する側の反対側に反射具を設けた構成にした。
【００１４】
　そして、光源からの光を反射具によって反射し、輻射面を照射する光量を増加させることによって、輻射面をより明るく照射し、輻射体が加熱された状態にあることをより明確に表示できることから、触手等により不安全行為を防止することができる。
【００１５】
　本発明の請求項４にかかる輻射暖房装置は、光源の光量を一定周期で変化させる制御部を備えた構成にしたものである。
【００１６】
　そして、輻射体に照射する光量を変化させることによって、輻射面の明るさを変化させ、明暗の繰り返しにより視覚的に表示が明確になるために、輻射体が加熱された状態が強調され、不安全行為を防止することができる。
【００１７】
　本発明の請求項５にかかる輻射暖房装置は、光源を一定周期で点滅させる制御部を備えた構成にした。
【００１８】
　そして、輻射体に照射する光量を点滅させることによって、輻射体が明暗で強調され、輻射体が加熱された状態が強調され、不安全行為を防止することができる。
【００１９】
　本発明の請求項６にかかる輻射暖房装置は光源から発生する光に着色した構成にしたものである。
【００２０】
　そして、輻射体の輻射面を暖色に着色した光源を照射することによって、輻射面を視覚的に暖かく表示することが可能となり、熱源によって加熱された輻射面から得られる輻射熱によって体感的な暖房効果とともに、暖色の光源の照射によって得られる視覚的な暖房効果によって快適な暖房感を得ることができる。
【００２１】
　本発明の請求項７にかかる輻射暖房装置は光色の異なる複数の光源を備え、輻射熱発生時と停止時に光源を切替えることによって照射する色を変える制御部を備えた構成にした。
【００２２】
　そして、運転時と停止時に光源を切替え、輻射体に表示する色を変えて、運転時に輻射体が加熱された状態にあることを表示し、蝕手等により不安全行為を防止するとともに、運転停止時においても別色で輻射体を照射することによって、使用する部屋のインテリアとして利用することができる。
【００２３】
　本発明の請求項８にかかる輻射暖房装置は光源の光量を輻射量の発生量に応じて変化させる制御部を備えた構成にした。
【００２４】
　そして、輻射面からの輻射量が多い場合は照射を明るく、輻射量が少ない場合には照射を少なくすることによって、輻射量が表示でき、一目で輻射量が確認できるために、操作を容易にすることができる。
【００２５】
　本発明の請求項９にかかる輻射暖房装置は、熱源部を、ガス、石油等の燃料を燃焼する燃焼部とした構成にした。
【００２６】
　そして、電気に比べ燃費の安いガスや石油を燃料を使用することにより、経済的に安価に大能力の暖房能力が得る装置においては、輻射面積を広くしたり、輻射面温度を高くして輻射能力を高めるために触手等による危険性が増大するが、装置の運転時に加熱された輻射体を照射することによって、輻射体が加熱された状態にあることを表示し、触手等により不安全行為を防止することができる。
【００２７】
　本発明の請求項１０にかかる輻射暖房装置は輻射面に光触媒を含有した材料を塗布した構成にした。
【００２８】
　そして、光源より照射された光により輻射面に塗布した光触媒が活性化し、輻射面の表面近傍を対流で上昇する気流中のアルデヒド等の空気汚染物質を触媒作用により、酸化分解することができる。
【実施例】
【００２９】
　以下、本発明の実施例について図面を用いて説明する。
【００３０】
　（実施例１）
　図１は本発明の実施例１における輻射暖房装置を示す要部部分切り欠き斜視図である。
【００３１】
　図１において、２１は加熱されて輻射熱を発生する輻射体、２２は輻射体２１の裏面に配設され輻射体２１を加熱するための加熱ヒータ、２３は輻射体２１の下部に設け輻射体２１の表面の輻射面を照射するために光源でＬＥＤ等で構成してある。２４は光源２３の輻射体２１を照射する側の反対側の略半周に設けた反射具である。
【００３２】
　次に動作、作用について説明すると、運転動作を始動すると加熱ヒータ２２と光源２３に通電される。輻射体２１は加熱ヒータ２２によって２００〜４００℃程度に加熱され遠赤外線を主体とした輻射エネルギーを放射し暖房に供する。同時に光源２３が点灯して輻射体２１を照射し加熱状態にあることを表示する。
【００３３】
　この種の輻射暖房装置は輻射体２１の温度が遠赤外線発生領域であるために、、ヒータを赤熱状態にして用いる電気ストーブのような視覚的な暖房効果を得ることが難しい。また、視覚的に加熱状態にあるのか、非加熱状態にあるのか判別し難く謝って触手し火傷等をする危険性があり、輻射体２１の全面に保護ガードを設置する等の処置がとられている。しかしながら、保護ガードによって輻射体２１から放射される輻射エネルギーの一部が遮られ、実際に輻射暖房として利用できるエネルギーが減少する。
【００３４】
　本発明の構成によれば、加熱ヒータ２２に通電し輻射体２１を加熱すると同時に光源２３で輻射体２１の輻射面を照射することにより、輻射面が加熱状態にあることを表示することが可能となり、輻射体２１から発生する輻射エネルギーによる暖房効果とともに、視覚的な暖房効果を得ることができる。また、触手等の不安全行為の回避も可能となり、保護ガードの簡易可による輻射エネルギーの遮蔽による暖房効果の減少も抑制することができる。
【００３５】
　次に、光源２３として冷陰極蛍光管を用いることによって、光源２３の寿命時間の延長が可能となり、故障の頻度を少なくすることができる。すなわち、冷陰極蛍光管は一般の蛍光管に比べフィラメントと予熱せずに点灯可能なため、また、フィラメント発熱型の光源に比べ高温部が少ないために寿命時間が長い。また、光源２３が比較的温度の高い輻射体２１の近傍に配設され輻射体２１からの熱を受けることから光源２３の温度が上昇し、高温型の蛍光管等はフィラメントが過熱され断線等による故障を生じやすいが、冷陰極蛍光管を使用することによりこれらの故障頻度が少なくなり、暖房装置のように使用時間が長い場合には故障等の障害がなく長時間使用することが可能となる。
【００３６】
　また、光源２３の輻射体２１を照射する側の反対側に略半周にわたって反射具２４を設けることによって、光源２３から発生する光量を反射具２４によって輻射体２１側に反射させ、輻射体２１に照射する光量を増加することができ、輻射面をより明るく照射し、輻射体が加熱された状態にあることをより明確に表示できる。また、光源２３から直接機器の前面側に放射される光を光源２３を遮ることによって、なまぶしさを防止し、輻射体２１の照射効果を高めることができる。
【００３７】
　次に、光源２３への入力を制御する制御部（図示せず）によって光源２３に供給する電力の周波数を一定周期で変化させることにより、光源２３から発生する光量が変化する。光量が変化する光源２３によって照射される輻射体２１の明暗の変化は視覚を刺激して、輻射体２１が加熱状態にあることを明確に使用者に表示することができる。
【００３８】
　また、光源２３に供給する電力を一定周期で通電、停止を繰り返すことによっても同様な効果を発揮することができる。
【００３９】
　次に、光源２３を着色したり、着色したフィルター等を装着して、光を赤色、だいだい色等の暖色に着色することによって照射される輻射体２１を暖色で視覚的に暖かく表現することが可能となり、輻射体２１が加熱されて発生する遠赤外線による暖房効果とともに視覚的な暖房効果によって快適な暖房効果を提供することができる。
【００４０】
　（実施例２）
　図２は本発明の実施例２における輻射暖房装置の要部の斜視図である。
【００４１】
　本実施例２において、実施例１と異なる点はそれぞれ光色のことなる光源２３ａ、２３ｂを設けた構成にしたことである。
【００４２】
　なお、実施例１と同一符号のものは同一構造を有し、説明は省略する。
【００４３】
　次に動作、作用を説明すると、装置の電源コンセントを投入すると青色や緑色等の寒色に着色した光源２３ａが点灯し輻射体２１を照射し寒色に表現する。
【００４４】
　次に運転動作を始動すると、加熱ヒータ２２に通電され、輻射体２１は加熱ヒータ２２によって２００〜４００℃程度程度に加熱され遠赤外線を主体とする輻射エネルギーを放射して暖房に供する。同時に光源２３ａ、２３ｂを制御する制御部（図示せず）によって光源２３ａが消灯し、代わりに赤色や橙色等の暖色に着色した光源２３ｂが点灯し、加熱させた輻射体２３を照射して暖色で視覚的に暖かく表現する。
【００４５】
　そして、装置の運転時においては輻射体２１が加熱されて発生する遠赤外線による暖房効果とともに視覚的な暖房効果によって快適な暖房効果を提供するとともに、輻射体２３が加熱状態にあることを表現し、触手等の不安全行為を防止することができる。また、運転停止時は輻射体２１を寒色に表示することにより、使用する部屋のインテリアとして使用することが可能となり、暖房不要時においても利用することができる。
【００４６】
　次に、装置の運転時に、加熱ヒータ２２への通電量に対応して光源２３への通電量や周波数を変える制御部（図示せず）を設けて、加熱ヒータ２２への通電量が多く輻射体２１からの輻射エネルギーの放射量が多い場合には光源２３から発生する光量を多く、加熱ヒータ２２への通電量が少なく放射量が少ない場合には光量を少なくによって、輻射エネルギーの放射量の多少が輻射体２１の明暗で表現でき視覚的に一目で判断できるために、操作を容易にすることができる。
【００４７】
　次に、光源２３を輻射体２１の側面に配置することにより、光源２３によって輻射体２１から発生する輻射エネルギーを遮ることなく、発生した輻射エネルギーを暖房として有効に活用することができる。また、光源２３を輻射体２１の側面に配設することによって、光源２３に相対する輻射面の面積が少ないために、光源２３の輻射エネルギーによる加熱を抑制することができ、過熱による光源２３の故障を防止することができる。
【００４８】
　次に、輻射体２１の輻射面に酸化チタン等の光を照射することによって活性化する光触媒を含む塗料を塗付し被膜を形成した。そして、光源２３によって照射された光によって光触媒が活性化し、輻射面の近傍を対流する室内空気に含有されたアルデヒド等の空気汚染物質を触媒作用ににより除去することができる。
【００４９】
　次に、輻射体２１の過熱源をガスや石油を燃料とする燃焼熱源を燃焼する燃焼部にすることによって、経済的に安価に大能力の暖房能力が得る装置を提供することが可能になるとともに、大能力を提供するために、輻射面積を広くしたり、輻射面温度を高くして輻射能力を高めるために触手等による危険性が増大するが、装置の運転時に加熱された輻射体２１を照射することによって、輻射体２１が加熱された状態にあることを表示し、触手等により不安全行為を防止することができる。
【図面の簡単な説明】
【００５０】
【図１】本発明の実施例１における輻射暖房装置の要部の一部切り欠き斜視図
【図２】本発明の実施例２における暖房装置の要部の一部切り欠き斜視図
【図３】従来の暖房装置の一部切り欠き斜視図
【符号の説明】
【００５１】
　２１　輻射体
　２２　加熱ヒータ（熱源部）
　２３　光源（ＬＥＤ）
　２４　反射具
【図１】
2004037075.tif 000003
【図２】
2004037075.tif 000004
【図３】
2004037075.tif 000005